(57)【要約】      （修正有）【課題】色の鮮明度が高く、柔軟で厚みが薄く、金箔の貼られた和紙に似た質感を持つ装飾用紙を提供する。【解決手段】転写フィルム層１００と、ポリエチレン接着層７と、鳥の子和紙層８と、を備える装飾用紙であって、転写フィルム層１００と鳥の子和紙層８を、ポリエチレン接着層７によって比較的低温で接合し、鳥の子和紙層８の上に転写フィルム層１００を転写して、転写フィルム層１００の色が転写された後に、必要に応じて転写フィルム層１００の一部であるＰＥＴフィルム層１と離形層２１３を剥離することにより、鳥の子和紙層８とポリエチレン接着層７とアルミメッキ層６と、ＡＣコート層５と、ＴＯＰコート層４から構成される装飾用紙１１０を作成する。【選択図】図１
0003145227.tif 000002
【実用新案登録請求の範囲】
【請求項１】
転写フィルム層と、ポリエチレン接着層と、鳥の子和紙層と、を備える装飾用紙であって、
前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙。
【請求項２】
請求項１に記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記転写フィルム層は、前記装飾用紙の表面から順にＰＥＴフィルム層と、離形層と、ＴＯＰコート層と、ＡＣコート層と、アルミメッキ層によって形成されていることを特徴とする装飾用紙。
【請求項３】
請求項１または２に記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記ポリエチレン接着層のポリエチレンは、前記転写フィルム層と前記鳥の子和紙層の接合過程において、比較的低温状態で液体から柔軟性を有する固体へと変化するために、装飾用紙全体の柔軟性が保持されているを特徴とする装飾用紙。
【請求項４】
請求項１乃至３のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記装飾用紙の表面から順にＰＥＴフィルム層と、離形層(２層からなる）と、ＴＯＰコート層と、ＡＣコート層と、アルミメッキ層によって形成される前記転写フィルム層において、
前記ＰＥＴフィルム層と前記離形層(２層からなる）とが、剥離されることにより、
前記鳥の子和紙層の上に、アルミメッキ層と、ＡＣコート層と、ＴＯＰコート層が前記ポリエチレン接着層によって接合されていることを特徴とする装飾用紙。
【請求項５】
請求項１乃至４のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記鳥の子和紙層の上に前記ポリエチレン接着層によって転写され接合されている前記転写フィルム層の一部であるＡＣコート層において、
金色着色用塗料として西陣の金銀ラメ糸用インクを使用することを特徴とする装飾用紙。
【請求項６】
請求項１乃至５のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
エンボス加工によって、前記装飾用紙の表面に優美な模様を作成できることを特徴とする装飾用紙。
【請求項７】
請求項１乃至６のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
エンボス加工によって模様の設けられた前記装飾用紙の表面に、さらに着色等の加工を重ねることによって優美な種々の模様を作成することが可能であることを特徴とする装飾用紙。
【考案の詳細な説明】
【技術分野】
【０００１】
本考案は、転写フィルムを鳥の子和紙に、ポリエチレン接着層によって接合し、転写することにより作成される、転写フィルム層に含まれる成分により発色する色を有する装飾用紙に関する。
【背景技術】
【０００２】
従来の装飾用紙は、鳥の子和紙の上にアルミニウムが直接メッキされて作成されているために、和紙本来の柔軟さが減少して硬く、また紙の厚みも厚く、装飾用紙としては加工に制約があるとともに、質感においても和紙の優美さに劣る装飾用紙であった。
【０００３】
従来技術における装飾用紙は、第１段階において、予めポリエチレンが塗布された鳥の子和紙を巻いたロールを、真空乾燥機の中で乾燥させて、和紙の湿度を抜いた後に、第２段階でメッキ処理が施される。ここで鳥の子和紙を巻いたロールは、真空のアルミニウム蒸着機の中に置かれ、高温（約１３００℃）のアルミニウムの坩堝中で気化したアルミニウムの気体粒子が直接鳥の子和紙に蒸着される。その後すぐにアルミニウムが蒸着された鳥の子和紙は、冷却されて巻き取られる工程に送られることにより、アルミニウムの直接メッキの処理が遂行される。
【０００４】
次に、第３段階の着色段階において、アルミニウムメッキの施された和紙は、着色機の中に入れられ、着色用インクバット及び彫刻ロールに通されて処理された後に、再度乾燥機で乾燥され、巻き取られることによって装飾用紙は作成される。
【０００５】
従って、従来の装飾用紙は全製作過程を通して、複数回の乾燥ならびに高温での処理を繰り返し施されることになり、鳥の子和紙層およびポリエチレン層は硬化すると考えられる。実際に従来の装飾用紙は、厚みも厚くて硬く、金箔の貼られた和紙の風合いには遠く及ばない装飾用紙であった。
【０００６】
そこで、考案者は、装飾用和紙の製造過程を変更することにより、柔軟で薄くかつ加工の施しやすい特徴を持ち、和紙本来の質感も持ち合わせた装飾用紙を作成できることに着目した。
【特許文献１】特開２００５−１２０５０３
【考案の開示】
【考案が解決しようとする課題】
【０００７】
本考案は、柔軟で薄く、また金着色の鮮明度が高く、かつ加工の施しやすい特徴をもった、和紙本来の質感を有する装飾用紙を提供することを目的とする。
【課題を解決するための手段】
【０００８】
請求項１に記載された考案は、転写フィルム層と、ポリエチレン接着層と、鳥の子和紙層と、を備える装飾用紙であって、
前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする。
【０００９】
請求項２に記載された考案は、請求項１に記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記転写フィルム層は、前記装飾用紙の表面から順にＰＥＴフィルム層と、離形層と、ＴＯＰコート層と、ＡＣコート層と、アルミメッキ層によって形成されていることを特徴とする。
【００１０】
請求項３に記載された考案は、請求項１または２に記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記ポリエチレン接着層のポリエチレンは、前記転写フィルム層と前記鳥の子和紙層の接合過程において、比較的低温状態で液体から柔軟性を有する固体へと変化するために、装飾用紙全体の柔軟性が保持されているを特徴とする。
【００１１】
請求項４に記載された考案は、請求項１乃至３のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記装飾用紙の表面から順にＰＥＴフィルム層と、離形層(２層からなる）と、ＴＯＰコート層と、ＡＣコート層と、アルミメッキ層によって形成される前記転写フィルム層において、
前記ＰＥＴフィルム層と前記離形層(２層からなる）とが、剥離されることにより、
前記鳥の子和紙層の上に、アルミメッキ層と、ＡＣコート層と、ＴＯＰコート層が前記ポリエチレン接着層によって接合されていることを特徴とする。
【００１２】
請求項５に記載された考案は、請求項１乃至４のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
前記鳥の子和紙層の上に前記ポリエチレン接着層によって転写され接合されている前記転写フィルム層の一部であるＡＣコート層において、
金色着色用塗料として西陣の金銀ラメ糸用インクを使用することを特徴とする。
【００１３】
請求項６に記載された考案は、請求項１乃至５のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
エンボス加工によって、前記装飾用紙の表面に優美な模様を作成できることを特徴とする。
【００１４】
請求項７に記載された考案は、請求項１乃至６のいずれかに記載の前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする装飾用紙において、
エンボス加工によって模様の設けられた前記装飾用紙の表面に、さらに着色等の加工を重ねることによって優美な種々の模様を作成することが可能であることを特徴とする。
【考案の効果】
【００１５】
本考案に係る装飾用紙は、厚みが薄く柔軟で、色の鮮明度が高い特徴を持つ装飾用紙であって、和紙本来の堅牢さと柔軟さと質感をもつと共に、紙の表面が着色等種々の加工に適する性質を持っているために、本考案に係る装飾用紙を用いて優美な仕上がりの加工品の提供が可能であり、また加工作業等の能率化にも貢献できる。
【考案を実施するための最良の形態】
【００１６】
以下、図を参照しつつ、本考案を実施するための最良の形態につき説明する。
（実施の形態１）
実施の形態１は、転写フィルム層と、ポリエチレン接着層と、鳥の子和紙層と、を備えた装飾用紙において、前記転写フィルム層は、前記装飾用紙の表面から順にＰＥＴフィルム層と、離形層と、ＴＯＰコート層と、ＡＣコート層と、アルミメッキ層によって形成され、
前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有することを特徴とする。
【００１７】
図１は実施の形態１に係る装飾用紙の構成を示す説明図である。
【００１８】
図１において、１１０は実施の形態１に係る装飾用紙である。１００は転写フィルム層であって、１はＰＥＴフィルムであり、２は離形層であり、３は離形層であり、４はＴＯＰコートであり、５はＡＣコート（着色または透明）であり、６はアルミニウムメッキ層であって、転写フィルム層１００はこれらの層によって形成されている。７はポリエチレン接着層であり、８は鳥の子和紙層である。
【００１９】
例えば、１のＰＥＴフィルムは厚み１２．０μ、２の離形層は厚み０．１μ、３の離形層は厚み０．１μ、４のＴＯＰコートは厚み２．０μ、５のＡＣコートは厚み１．５μ、７のポリエチレン接着層は厚み１５．０μ、８の鳥の子和紙層は９０ｇ／厚み０．１３８ｍｍである。
【００２０】
図４は実施の形態１に係る装飾用紙の作成方法の概略を示す説明図である。
【００２１】
図４において、１１０は実施の形態１に係る装飾用紙が巻き取られたロールである。１００は転写フィルムの巻かれたロールであり、４０７はポリエチレンであり、４０８は鳥の子和紙の巻かれたロールであり、４０１はガイドロールであり、４０２は押さえロールである。
【００２２】
４０７の液体ポリエチレンは、転写フィルム１００の巻かれたロールと鳥の子和紙４０８の巻かれたロールから、それぞれ引き出された転写フィルムと鳥の子和紙の隙間に、エアーで吹き付ける方法で、比較的低温状態で使用されることにより、転写フィルムと鳥の子和紙を貼りあわせることができる。
【００２３】
転写フィルム１００と鳥の子和紙４０８は、それぞれガイドロール４０１や押さえロール４０２により誘導されて、ポリエチレンによって貼り合わされた後、接合された転写フィルムと鳥の子和紙は、最終的にロールに巻き取られることにより、１１０の実施の形態１に係る装飾用紙が作成される。従来のような高温加熱の過程を経ることなく、転写フィルム１００と鳥の子和紙４０８はポリエチレンによって接着される。
（実施の形態２）
実施の形態２は、転写フィルム層と、ポリエチレン接着層と、鳥の子和紙層と、を備えた装飾用紙において、
転写フィルム層は、前記装飾用紙の表面から順にＰＥＴフィルム層と、離形層（２層からなる）と、ＴＯＰコート層と、ＡＣコート層と、アルミメッキ層によって形成され、
前記転写フィルム層と前記鳥の子和紙層とが、前記ポリエチレン接着層によって硬化されずに接合され、前記鳥の子和紙層の上に前記転写フィルム層が転写されて、転写フィルム層に含まれる成分により発色する色を有する実施の形態１の装飾用紙において、
前記ＰＥＴフィルム層と前記離形層(２層からなる）とが、剥離されることにより、
前記鳥の子和紙層の上に、アルミメッキ層と、ＡＣコート層と、ＴＯＰコート層からなる転写フィルム層が前記ポリエチレン接着層によって接合されていることを特徴とする。
【００２４】
図２は実施の形態２に係る装飾用紙の構成を説明するための説明図である。
【００２５】
図２において２１０は実施の形態２に係る装飾用紙である。１００は転写フィルム層であって、１はＰＥＴフィルムであり、２は離形層であり、３は離形層であり、４はＴＯＰコートであり、５はＡＣコートであり、６はアルミニウムメッキ層であって、転写フィルム層１００はこれらの層によって構成される。７はポリエチレン接着層であり、８は鳥の子和紙層である。２１１は、実施の形態１に係る装飾用紙１１０の転写フィルム層１００から剥離される層の領域を示し、２１０は２１１を剥離して作成された実施の形態２に係る装飾用紙である。
【００２６】
ただし、図１と図２は層の構成を示すための概略説明図であって、実際の紙の厚みを表すものではない。
【００２７】
図３は従来の装飾用紙の構成を示す説明図である。
【００２８】
図３において、３１０は従来の装飾用紙である。１は金着色層であり、２はアルミニウム蒸着層であり、３はポリエチレン層であり、４は鳥の子和紙層である。ただし、図３は層の構成を示すための概略説明図であって、実際の紙の厚みを表すものではない。
【００２９】
例えば４の鳥の子和紙は、７８g／ｍ２×１０２０mm巾であり、３のポリエチレン層は１５μで厚みで塗布されている。
【００３０】
図５は従来の装飾用紙の作成方法の一部を示す説明図である。
【００３１】
従来技術における装飾用紙は、第１段階において、予めポリエチレンが塗布された鳥の子和紙を巻いたロールを、真空乾燥機の中で乾燥させて、和紙の湿度を抜いた後に、第２段階でメッキ処理が施される。
【００３２】
図５は第２段階でのアルミニウムのメッキ処理を説明するための説明図である。
５０１は蒸着機の真空釜であり、５０２は巻き出しワインダーであり、５０３は冷却キャンロールであり、５０４は坩堝であり、５０５はアルミニウムの粒であり、５０６は気化したアルミニウムであり、５０７は巻き取りワインダーである。
【００３３】
ポリエチレンが塗布された鳥の子和紙は、５０２の巻き出しワインダーからはじまり矢印の方向に送られ処理が施されて、最後に５０７の巻き取りワインダーで巻き取られる。
【００３４】
真空のアルミニウム蒸着機の中に入れられたポリエチレンの塗布された鳥の子和紙は、高温（約１３００℃）のアルミニウムの坩堝５０４の上に送られて、坩堝中で気化したアルミニウムの気体粒子が、直接鳥の子和紙上に蒸着される。アルミニウムが蒸着された鳥の子和紙は、蒸着後すぐに冷却されて、巻き取られる工程に送られて、メッキ処理の工程が終了する。
【００３５】
次に、第３段階の着色段階において、アルミニウムメッキの施された和紙は、着色機中で、着色用インクバット及び彫刻ロール等により表面の加工が施され、再度乾燥機で乾燥されて作成される。
【００３６】
従って、従来の装飾用紙の場合には、製作の全過程において複数回の乾燥ならびに高温での処理が施されており、それによって鳥の子和紙層およびポリエチレン層は硬化し、紙全体が硬くなると考えられる。
【００３７】
図３で示された従来の装飾用紙は、厚みが厚く硬くて、金箔の貼られた和紙のような質感は無く、装飾用紙の加工段階においては、作業効率も良くないという欠点があった。
【００３８】
一方本考案の装飾用紙は、作成条件の変更により、従来の装飾用紙のこれらの弱点を克服することが可能となり、紙の品質の向上と加工作業の効率化を計ることができた。
【００３９】
（実施の形態３）
実施の形態３に係る装飾用紙は、転写フィルム層と鳥の子和紙層とが、ポリエチレン接着層によって硬化されずに接合され、前記鳥の子和紙層の上に前記転写フィルム層が転写されて、転写フィルム層に含まれる成分により発色する色を有する装飾用紙において、
前記転写フィルム層のＰＥＴフィルム層と離形層(２層からなる）とが、剥離されることにより、前記鳥の子和紙層の上に、アルミメッキ層と、ＡＣコート層と、ＴＯＰコート層が前記ポリエチレン接着層によって接合されていることを特徴とする実施の形態２の装飾用紙において、
装飾用紙の表面に、従来のエンボス加工技術等によって、種々の優美な模様を作成可能であることを特徴とする。
【００４０】
本考案の装飾用紙は、和紙の特性を失うことなく柔軟で薄く、かつしなやかな特徴をもった装飾用紙であるために、装飾用紙の表面に加工の施しやすい特徴を持っている。
【００４１】
そのため本考案の装飾用紙の表面に、従来のエンボス加工技術によって種々の加工を施し、装飾用紙としての付加価値を高めることが可能である。
【００４２】
本考案の装飾用紙により、日本の伝統技術である貴重な金箔により近い、完成度の高い装飾用紙の作成が安価で可能となった。
【００４３】
本考案の装飾用紙は、エンボス加工によって模様の設けられた前記装飾用紙の表面に、さらに上から着色等を重ねることによって、優美な種々の模様を作成することも可能である。従来技術では、着色等を重ねる作業の際に、脱色や紙のそり等の問題が生じたが、本考案の装飾用紙を使用すれば、この問題は容易に克服することができ、脱色や紙のそりの少ない、高品質の製品を従来の１／２以下の手間で提供することが可能である。
【００４４】
本考案の装飾用紙の特徴により、本考案の装飾用紙の汎用性は向上し、安価で和紙本来の風合いも持つ優れた加工品の作成が可能となった。本考案の装飾用紙の、脱色や紙の変質を招くことなく自在に加工を施すことができるという特性を利用して、作業時間の能率化を計ることができ、本装飾用紙を利用した製作品の商品価値を高めることが可能である。
【図面の簡単な説明】
【００４５】
【図１】実施の形態１に係る装飾用紙の構成を示す説明図である。
【図２】実施の形態２に係る装飾用紙の構成を説明する説明図である。
【図３】従来の装飾用紙の構成を示す説明図である。
【図４】実施の形態１に係る装飾用紙の作成方法の概略を示す説明図である。
【図５】従来の装飾用紙の作成方法の一部を示す説明図である。
【符号の説明】
【００４６】
１００      転写フィルム
１１０      実施の形態１に係る装飾用紙
１      ＰＥＴフィルム
２      離形層
３      離形層
４      ＴＯＰコート
５      ＡＣコート
６      アルミニウムメッキ層
７      ポリエチレン接着層
８      鳥の子和紙層
【図１】
0003145227.tif 000003
【図２】
0003145227.tif 000004
【図３】
0003145227.tif 000005
【図４】
0003145227.tif 000006
【図５】
0003145227.tif 000007